(57)【要約】【課題】オプションとして装置本体に取り付け取り外し可能であると共に、取り付けたとしても装置が大きくなることなく、また、大きなジャム処理用のスペース必要としないものとすること。【解決手段】用紙の搬入口１１０と、用紙の搬出口１１５と、用紙を一方向に搬送する搬送路１２０と、用紙の搬送方向をスイッチバックするスイッチバック搬送路１３０とを備え、搬入口から搬入された用紙を表裏反転して搬出口に排出する用紙反転装置１００であって、前記搬送路１２０を構成する部材と前記スイッチバック搬送路１３０を構成する部材との間にリンク部材を備え、前記搬送路１２０及び前記スイッチバック搬送路１３０のうち、一方の搬送路を露出する開放動作をしたとき、他方の搬送路を露出させる他方の開放動作を同期して行うようにしたことを特徴とする用紙反転装置。【選択図】図９
2007204196.tif 000002
【特許請求の範囲】
【請求項１】
用紙の搬入口と、用紙の搬出口と、用紙を一方向に搬送する搬送路と、用紙の搬送方向をスイッチバックするスイッチバック搬送路とを備え、搬入口から搬入された用紙を表裏反転して搬出口に排出する用紙反転装置であって、
前記搬送路を構成する部材と前記スイッチバック搬送路を構成する部材との間にリンク部材を備え、前記搬送路及び前記スイッチバック搬送路のうち、一方の搬送路を露出する開放動作をしたとき、他方の搬送路を露出させる他方の開放動作を同期して行うようにしたことを特徴とする用紙反転装置。
【請求項２】
前記搬送路に面して配置され、開閉動可能に構成された搬送路形成部材と、
前記スイッチバック搬送路に面して配置され、開閉動可能に構成されたスイッチバック搬送路構成部材とを備えてなり、
前記リンク部材は、前記搬送路構成部材及び前記スイッチバック搬送路構成部材のうち
一方の部材を開放動作するのと連動して、他方を開放させることを特徴とする請求項１記載の用紙反転装置。
【請求項３】
前記搬送路構成部材は、各々前記搬送路の異なる部分に面して配置される複数の搬送路構成部材要素を含むことを特徴とする請求項２記載の用紙反転装置。
【請求項４】
前記スイッチバック搬送路構成部材は、各々前記スイッチバック搬送路の異なる部分に面して配置される複数のスイッチバック搬送路構成部材要素を含むことを特徴とする請求項２記載の用紙反転装置。
【請求項５】
前記複数の搬送路構成部材又は前記複数のスイッチバック搬送路構成部材は、前記搬送路又は前記スイッチバック搬送路における中央部側の支点を中心に回転可能に構成することにより、前記搬送路又は前記スイッチバック搬送路の開閉動作させることを特徴とする請求項３又は４記載の用紙反転装置。
【請求項６】
前記複数の搬送路構成部材又は前記複数のスイッチバック搬送路構成部は共通の回転中心となる支点で支持されていることを特徴とする請求項３ないし５のいずれか記載の用紙反転装置。
【請求項７】
前記スイッチバック搬送路構成部材は、前記搬送路構成部材に対向して配置され、前記搬送路をも構成することを特徴とする請求項２ないし６のいずれか記載の用紙反転装置。
【請求項８】
前記搬送路と、前記スイッチバック搬送路は、前記搬入口側から見て、重なるように配置される請求項１ないし７のいずれか記載の用紙反転装置。
【請求項９】
前記搬送路は、前記搬入口から搬入した用紙を前記スイッチバック搬送路に搬送するように配置されることを特徴とする請求項１ないし８のいずれか記載の用紙反転装置。
【請求項１０】
前記搬入口及び前記搬出口は用紙反転装置の同じ面に配置されることを特徴とする請求項１ないし９のいずれか記載の用紙反転装置。
【請求項１１】
用紙反転装置筐体と、この用紙反転装置筐体内に配置された用紙反転装置本体とを備え、用紙反転装置温帯を前記用紙反転装置筐体から引出可能に形成したことを特徴とする請求項１〜１０のいずれか記載の用紙反転装置。
【請求項１２】
用紙上に画像を形成する本体部と、前記本体部の下方に着脱可能に配置される請求項１ないし１１のいずれか記載の用紙反転装置を備えたことを特徴とする画像形成装置。
【請求項１３】
用紙の搬入口、用紙の搬出口、用紙を一方向に搬送する搬送路、及び、用紙の搬送方向をスイッチバックするスイッチバック搬送路を有し、搬入口から搬入された用紙を表裏反転して搬出口に排出する用紙反転部と、
給紙トレイを含み用紙上に画像を形成する画像形成装置本体部とを備える画像形成装置であって、
前記反転部は、前記本体部の下方に着脱可能に配置されることを特徴とする画像形成装置。
【請求項１４】
前記反転部は、前記本体部を支持して配置されることを特徴とする請求項１３記載の画像形成装置。
【発明の詳細な説明】
【技術分野】
【０００１】
本発明は用紙反転装置及び画像形成装置に係り、特に用紙の搬入口と、用紙の搬出口と、用紙を一方向に搬送する搬送路と、用紙の搬送方向をスイッチバックするスイッチバック搬送路とを備え、搬入口から搬入された用紙を表裏反転して搬出口に排出する用紙反転装置に関する。
【背景技術】
【０００２】
画像形成装置において、両面印刷を行うとき用紙反転装置（両面ユニット）を用いることがある。即ち、このような画像形成装置では、画像形成装置本体で一方の面に印刷を行い、この一方の面に印刷した用紙を用紙反転装置で表裏反転して再び画像形成装置本体に移送し、反対面に印刷を行う。
【０００３】
このため、用紙反転装置は、画像形成装置本体に隣接して配置しなければならない。このような場合、用紙反転装置を画像形成装置本体と共に画像形成装置の胴内に搭載するものがある。このような画像形成装置では、画像形成装置本体が大きくなる他、用紙反転装置を標準で搭載するか、用紙反転装置を備えない場合には、用紙反転装置を配置すべきスペースに用紙移送装置を配置する必要がある。このような場合、両面印刷が不要なユーザーにとっては使用しない用紙反転装置の分装置の大きさが増し、用紙移送装置の分コストが嵩むことになる。
【０００４】
一方、用紙反転装置を画像形成装置の側面に搭載できる画像形成装置がある。この画像形成装置３００は、図１３に示すように、用紙反転装置３２０を画像形成装置本体３１０の側面に配置するオプション品として設定したものである。このような画像形成装置３００では、画像形成装置本体３１０の側面に用紙反転装置３２０が配置される分画像形成装置３００全体が大きくなる他、用紙反転装置３２０のジャム処理時は図１３に仮装線で示したように、用紙反転装置３２０を開くスペースを確保する必要があり、占有面積を広く取る必要があった。
【０００５】
さらに、用紙反転装置を画像形成装置の背面に搭載する画像形成装置４００がある。この画像形成装置４００は、図１４に示すように、画像形成装置本体４１０の背面に用紙反転装置４２０を設置したものである。この画像形成装置４００では、画像形成装置４００全体が大きくなる他、用紙反転装置４２０のジャム処理時は後に廻り込んで処理をする必要があり、作業者が入り込んで作業を行う必要があり、上述した画像形成装置３００よりさらに占有面積を広く取る必要があった。また、用紙反転装置４２０のジャム処理時には、ジャム処理用の用紙搬送ガイド板を何枚も開いて確認する必要があり、ものよっては手の届かない所にジャム用紙の切れ端が入り込み、図１５に示すように、画像形成装置本体４１０と、用紙反転装置４２０とを分離して作業を行う必要があった。
【０００６】
ところで、このような画像形成装置に使用される用紙反転装置として以下のものが提案されている。特許文献１には、両面経路とスイッチバック路を備えた両面ユニットを、装置本体から離脱可能にした画像形成装置として、排紙トレイに排紙するための第１搬送路と他の排紙トレイに排紙するためのあるいは両面ユニットへの搬送するための第２搬送路とを有し、画像形成装置内の定着ユニットから搬送されてきたシートを第１搬送路あるいは第２搬送路により選択的に搬送する排紙ユニットにおいて、同排紙ユニットは第１搬送路を形成する第１ユニットと第２搬送路を形成する第２ユニットとに分割して形成されているものが記載されている。
【０００７】
また、特許文献２には、画像形成装置本体に対して、記録用紙再搬送ユニットと、記録用紙反転搬送ユニットとを着脱自在に設け、記録用紙反転搬送ユニットには画像形成ユニットから排出された記録用紙を反転搬送させる装置を、記録用紙再搬送ユニットには反転搬送された記録用紙を用紙反転部に送る用紙搬送部を設けるものが記載されている。
【０００８】
さらに、特許文献３には、用紙搬送ユニット付きプリンタは、プリンタ本体と、給紙カセットに代えてプリンタ本体に装着されたオプションとしての用紙搬送ユニットとよりなり、プリンタ本体は下面に収容空間部を有し、用紙搬送ユニットは収容空間部内に挿入されて装着されるものが記載されている。
【特許文献１】特開平１０−１８１９７８号公報
【特許文献２】特開平７−１６８４０７号公報
【特許文献３】特開平１０−１４２８６８号公報
【発明の開示】
【発明が解決しようとする課題】
【０００９】
上述のように、従来画像形成装置に用紙反転装置を取り付ける場合には、用紙反転装置をオプションとして画像形成装置本体に取り付け取り外しできるように構成する必要がある他、用紙反転装置を取り付けた場合画像形成装置が大きくなったり、ジャム処理に必要なスペースが必要となったりしている。
【００１０】
そこで本発明は、オプションとして装置本体に取り付け取り外し可能であると共に、取り付けたとしても装置が大きくなることなく、また、大きなジャム処理用のスペース必要としない用紙反転装置及び画像形成装置を提供することを目的とする。
【課題を解決するための手段】
【００１１】
請求項１の発明は、用紙の搬入口と、用紙の搬出口と、用紙を一方向に搬送する搬送路と、用紙の搬送方向をスイッチバックするスイッチバック搬送路とを備え、搬入口から搬入された用紙を表裏反転して搬出口に排出する用紙反転装置であって、前記搬送路を構成する部材と前記スイッチバック搬送路を構成する部材との間にリンク部材を備え、前記搬送路及び前記スイッチバック搬送路のうち、一方の搬送路を露出する開放動作をしたとき、他方の搬送路を露出させる他方の開放動作を同期して行うようにしたことを特徴とする用紙反転装置である。
【００１２】
請求項２の発明は、請求項１記載の用紙反転装置において、前記搬送路に面して配置され、開閉動可能に構成された搬送路形成部材と、前記スイッチバック搬送路に面して配置され、開閉動可能に構成されたスイッチバック搬送路構成部材とを備えてなり、前記リンク部材は、前記搬送路構成部材及び前記スイッチバック搬送路構成部材のうち一方の部材を開放動作するのと連動して、他方を開放させることを特徴とする。
【００１３】
請求項３の発明は、請求項２記載の用紙反転装置において、前記搬送路構成部材は、各々前記搬送路の異なる部分に面して配置される複数の搬送路構成部材要素を含むことを特徴とする。
【００１４】
請求項４の発明は、請求項２記載の用紙反転装置において、前記スイッチバック搬送路構成部材は、各々前記スイッチバック搬送路の異なる部分に面して配置される複数のスイッチバック搬送路構成部材要素を含むことを特徴とする。
【００１５】
請求項５の発明は、請求項３又は４記載の用紙反転装置において、前記複数の搬送路構成部材又は前記複数のスイッチバック搬送路構成部材は、前記搬送路又は前記スイッチバック搬送路における中央部側の支点を中心に回転可能に構成することにより、前記搬送路又は前記スイッチバック搬送路の開閉動作させることを特徴とする。
【００１６】
請求項６の発明は、請求項３ないし５のいずれか記載の用紙反転装置において、前記複数の搬送路構成部材又は前記複数のスイッチバック搬送路構成部は共通の回転中心となる支点で支持されていることを特徴とする。
【００１７】
請求項７の発明は、請求項２ないし６のいずれか記載の用紙反転装置において、前記スイッチバック搬送路構成部材は、前記搬送路構成部材に対向して配置され、前記搬送路をも構成することを特徴とする。
【００１８】
請求項８の発明は、請求項１ないし７のいずれか記載のである用紙反転装置において、前記搬送路と、前記スイッチバック搬送路は、前記搬入口側から見て、重なるように配置されることを特徴とする。
【００１９】
請求項９の発明は、請求項１ないし８のいずれか記載の用紙反転装置において、前記搬送路は、前記搬入口から搬入した用紙を前記スイッチバック搬送路に搬送するように配置される。
【００２０】
請求項１０の発明は、請求項１ないし９のいずれか記載の用紙反転装置において、前記搬入口及び前記搬出口は用紙反転装置の同じ面に配置されることを特徴とする。
【００２１】
請求項１１の発明は、請求項１〜１０のいずれか記載の用紙反転装置において、用紙反転装置筐体と、この用紙反転装置筐体内に配置された用紙反転装置本体とを備え、用紙反転装置温帯を前記用紙反転装置筐体から引出可能に形成したことを特徴とする。
【００２２】
請求項１２の発明は、用紙上に画像を形成する本体部と、前記本体部の下方に着脱可能に配置される請求項１ないし１１のいずれか記載の用紙反転装置を備えたことを特徴とする画像形成装置である。
【００２３】
請求項１３の発明は、用紙の搬入口、用紙の搬出口、用紙を一方向に搬送する搬送路、及び、用紙の搬送方向をスイッチバックするスイッチバック搬送路を有し、搬入口から搬入された用紙を表裏反転して搬出口に排出する用紙反転部と、給紙トレイを含み用紙上に画像を形成する画像形成装置本体部とを備える画像形成装置であって、前記反転部は、前記本体部の下方に着脱可能に配置されることを特徴とする画像形成装置である。
【００２４】
請求項１４の発明は、請求項１３記載の画像形成装置において、前記反転部は、前記本体部を支持して配置されることを特徴とする。
【発明の効果】
【００２５】
本発明に係る用紙反転装置及び画像形成装置によれば、オプションとして装置本体に取り付け取り外し可能であると共に、取り付けたとしても装置が大きくなることなく、また、大きなジャム処理用のスペース必要としないという効果がある。
【発明を実施するための最良の形態】
【００２６】
以下本発明を実施するための最良の形態としての実施例を図面に基づいて説明する。
【実施例】
【００２７】
以下、本発明に係る画像形成装置の実施例を図面に基づいて説明する。図１は実施例に係る用紙反転装置を備えた画像形成装置を示す正面図、図２は図１に示した画像形成装置から用紙反転装置を外した状態の画像形成装置を示す正面図である。
【００２８】
本例に係る用紙反転装置１００は画像形成装置１０にオプション品として設定される。画像形成装置１０に用紙反転装置１００が取り付けられる場合は、図１に示すように、画像形成装置１０は、画像形成部１１と給紙装置１３の間に用紙反転装置１２（１００）が配置される。一方用紙反転装置１００がオプション品として設定されていない場合には、図２に示すように用紙反転装置は設けられずに、画像形成部１１が給紙装置１３上に直接配置される。本例によれば、用紙反転装置１２が不要の場合には、画像形成装置１０を画像形成部１１と用紙反転装置１２とで構成することができるので、画像形成装置全体の高さと重量を抑えることができる。
【００２９】
次に本例に係る用紙反転装置１２（１００）について説明する。図３は実施例に係る用紙反転装置を示す正面図、図４は実施例に係る用紙反転装置を示す斜視図、図５は実施例に係る用紙反転装置において、用紙反転装置の筐体から用紙反転装置本体を引き出した状態を示す斜視図、図６は実施例に係る用紙反転装置の概略構造を示す断面図である。
【００３０】
本例において、用紙反転装置１００は、用紙反転装置筐体１０１とこの用紙反転装置筐体１０１内に格納された用紙反転装置構造体部１０２とから構成されている。本例では、用紙反転装置構造体部１０２は、図５に示すように、用紙反転装置筐体１０１から引き出すことができる。ジャム処理を行うときは、用紙反転装置筐体１０１から用紙反転装置構造体部１０２を引き出し、上方から用紙反転装置構造体部１０２の各部を開放したり、用紙を取り出したりすることができる。
【００３１】
また、用紙反転装置筐体１０１には、入口搬送ガイド板１４０と出口搬送ガイド板１９０とが開閉可能に設けられている。即ち、入口搬送ガイド板１４０は図７に示すように、また、出口搬送ガイド板１９０は図８に示すように開閉することができる。本例によれば、用紙反転装置構造体部１０２を用紙反転装置筐体１０１に格納した状態で、入口搬送ガイド板１４０を開放して、後述する用紙反転装置構造体部１０２の搬入口１１０におけるジャム処理を行うことができる他、出口搬送ガイド板１９０を開放した状態で後述する用紙反転装置構造体部１０２の搬出口１１５のジャム処理を行うことができる。このため、搬入口１１０や搬出口１１５に用紙が詰まったまま、用紙反転装置構造体部１０２を用紙反転装置筐体１０１から引き出してしまい、用紙を切断してしまい、用紙断片が用紙反転装置筐体１０１と用紙反転装置構造体部１０２とに分離される事態を防止することができる。
【００３２】
次に用紙反転装置構造体部１０２の構成について説明する。本例に係る用紙反転装置１００では、用紙反転装置構造体部１０２には、一方の面に画像形成部１１で印刷がなされた用紙が搬入される搬入口１１０と、用紙反転装置１００で表裏反転された用紙が再び画像形成部１１に向け排出される搬出口１１５とをその両側側に形成している。
【００３３】
搬入口１１０から搬入された用紙は、搬送路１２０を搬送され、スイッチバック搬送路１３０に搬送され、このスイッチバック搬送路１３０においてスイッチバックされて表裏が反転され、搬出口１１５から搬出される。
【００３４】
本例では、搬送路１２０は、左側搬送路１２１と右側搬送路１２２とに２分割され、左側搬送路１２１は左上搬送ガイド板１５０と左下搬送ガイド板１６０との間、右側搬送路１２２は右上搬送ガイド板１７０と右下反転搬送ガイド板１８０との間に形成されている。左側搬送路１２１、右側搬送路１２２を形成するため、左上搬送ガイド板１５０の下側、左下搬送ガイド板１６０の上側、右上搬送ガイド板１７０の下側、右下反転搬送ガイド板１８０の上側には、モータなどの駆動源で回転駆動されるローラが配置されている
【００３５】
また、本例では、スイッチバック搬送路１３０は、左側スイッチバック通路１３１と、右側スイッチバック通路１３２とに２分割され、左側スイッチバック通路１３１は左下搬送ガイド板１６０と、用紙反転装置構造体部１０２の底部１０３との間、右側スイッチバック通路１３２は右下反転搬送ガイド板１８０と前記底部１０３との間に形成されている。また、本例では、右側搬送路１２２と右側スイッチバック通路１３２とは、前記右下反転搬送ガイド板１８０の端部で半円弧の転向通路１３４が形成されている。なお、本例では、右下反転搬送ガイド板１８０の下側と、１０３の下側にはモータなどの駆動源で回転駆動されるローラが配置されている。
【００３６】
まず、左側搬送路１２１、左側スイッチバック通路１３１を構成する左上搬送ガイド板１５０及び左下搬送ガイド板１６０について説明する。本例では、左上搬送ガイド板１５０は用紙反転装置構造体部１０２の中央部付近に配置された支軸１３５で軸支され、左下搬送ガイド板１６０は前記支軸１３５の近傍に設けたれた支軸１３６で軸支されている。
【００３７】
また、左上搬送ガイド板１５０と左下搬送ガイド板１６０とは左上搬送ガイド板１５０及び左下搬送ガイド板１６０を連動させる左手前搬送ガイド板リンク２１０で底部１０３に連結されている。また、左下搬送ガイド板１６０は左上搬送ガイド板１５０及び左下搬送ガイド板１６０の回転量を規制する左奥搬送ガイド板リンク２２０で底部１０３に連結されている。左上搬送ガイド板１５０及び左下搬送ガイド板１６０は、この左手前搬送ガイド板リンク２１０と左奥搬送ガイド板リンク２２０に動きを規制され、左側搬送路１２１及び左側スイッチバック通路１３１のうち、一方の搬送路を露出するように開放動作をしたとき、他方の搬送路を大きく露出させる動作を行う。
【００３８】
左手前搬送ガイド板リンク２１０は、図９に示すように、左上搬送ガイド板１５０に軸２１２で軸支されると共に、長穴２１３を備えた連結棒２１１を備え、この連結棒２１１を前記左下搬送ガイド板１６０に立設したスライド軸２１４を前記連結棒２１１の長穴１２３にスライド可能に配置したものである。
【００３９】
この左手前搬送ガイド板リンク２１０は、左上搬送ガイド板１５０と左下搬送ガイド板１６０とが重なり合い左側搬送路１２１と左側スイッチバック通路１３１とが形成された状態で、左上搬送ガイド板１５０の反軸支側を持ち上げると、スライド軸２１４が長穴２１３内を移動し、左上搬送ガイド板１５０が所定量移動されると、スライド軸２１４が長穴２１３の端まで達し、左上搬送ガイド板１５０の動きに連動して左下搬送ガイド板１６０を支軸１３５周りに持ち上げる。
【００４０】
また、左奥搬送ガイド板リンク２２０は、図１０に示すように、左下搬送ガイド板１６０に配置され、左上搬送ガイド板１５０と左下搬送ガイド板１６０の移動範囲を規制する。即ち、左奥搬送ガイド板リンク２２０は、図１０に示すように、用紙反転装置構造体部１０２の底部に軸２１２で軸支される共に、長穴２２３が設けられた連結棒２１１を備え、前記長穴２２３に左下搬送ガイド板１６０に立設したスライド軸２２４を前記連結棒２２１の長穴２２３にスライド可能に配置したものである。
【００４１】
この左奥搬送ガイド板リンク２２０は、左上搬送ガイド板１５０と左下搬送ガイド板１６０とが重なり合い左側搬送路１２１と左側スイッチバック通路１３１とが形成された状態で、左上搬送ガイド板１５０の反軸支側を持ち上げると、スライド軸２２４が連結棒２２１の長穴２２３内を移動し、左上搬送ガイド板１５０が所定量）移動されると、スライド軸２２４が長穴２２３の端まで達し左上搬送ガイド板１５０及び左下搬送ガイド板１６０の移動を停止する。本例では、この状態で、左上搬送ガイド板１５０は約１１０度、左下搬送ガイド板１６０は約６０度開いた状態となり、左側搬送路１２１と左側スイッチバック通路１３１は開放状態となり、ジャム処理を容易に行うことができるものとなる。
【００４２】
次に、右側搬送路１２２及び右側スイッチバック通路１３２を構成する右上搬送ガイド板１７０及び右下反転搬送ガイド板１８０について説明する。本例では、右上搬送ガイド板１７０は前記左上搬送ガイド板１５０を軸支する支軸１３５で支軸１３５と共通に軸支され、右下反転搬送ガイド板１８０は前記支軸１３５の近傍に設けたれた支軸１３７で軸支されている。また、右上搬送ガイド板１７０と右下反転搬送ガイド板１８０とは右上搬送ガイド板１７０及び右下反転搬送ガイド板１８０を連動させる右手前搬送ガイド板リンク２５０で底部１０３に連結されている。なお、右上搬送ガイド板１７０の支軸は左上搬送ガイド板１５０の支軸と別に設けることができる。
【００４３】
また、右下反転搬送ガイド板１８０は右上搬送ガイド板１７０及び右下反転搬送ガイド板１８０の回転量を規制する右奥搬送ガイド板リンク２６０で底部１０３に連結されている。右上搬送ガイド板１７０及び右下反転搬送ガイド板１８０は、この右手前搬送ガイド板リンク２５０と右奥搬送ガイド板リンク２６０に動きを規制され、右側搬送路１２２及び右側スイッチバック通路１３２のうち、一方の搬送路を露出するように開放動作をしたとき、他方の搬送路を大きく露出させる動作を行う。
【００４４】
右手前搬送ガイド板リンク２５０は、図１１に示すように、右上搬送ガイド板１７０に軸２５２で軸支されると共に、長穴２５３を備えた連結棒２５１を備え、この連結棒２５１を前記右下反転搬送ガイド板１８０に立設したスライド軸２５４を前記連結棒２５１の長穴２５３にスライド可能に配置したものである。
【００４５】
この右手前搬送ガイド板リンク２５０は、右上搬送ガイド板１７０と右下反転搬送ガイド板１８０とが重なり右側搬送路１２２、左側スイッチバック通路１３１及び転向通路１３４が形成された状態で、右上搬送ガイド板１７０の反軸支側を持ち上げると、スライド軸２５４が長穴２５３内を移動し、右上搬送ガイド板１７０が所定量移動されると、スライド軸２５４が長穴２５３の端まで達し、右上搬送ガイド板１７０の動きに連動して右下反転搬送ガイド板１８０を支軸１３５周りに持ち上げる。
【００４６】
また、右奥搬送ガイド板リンク２６０は、図１２に示すように、右下反転搬送ガイド板１８０に配置され、右上搬送ガイド板１７０と右下反転搬送ガイド板１８０の移動範囲を規制する。即ち、右奥搬送ガイド板リンク２６０は、図１２に示すように、用紙反転装置構造体部１０２の底部に軸２６２で軸支される共に、長穴２６３が設けられた連結棒２６１を備え、前記長穴２６３に右下反転搬送ガイド板１８０に立設したスライド軸２２４を前記連結棒２２１の長穴２２３にスライド可能に配置したものである。
【００４７】
この右奥搬送ガイド板リンク２６０は、右上搬送ガイド板１７０と右下反転搬送ガイド板１８０とが重なり合い右側搬送路１２２、右側スイッチバック通路１３２及び転向通路１３４が形成された状態で、右上搬送ガイド板１７０の反軸支側を持ち上げると、スライド軸２６４が連結棒２６１の長穴２６３内を移動し、右上搬送ガイド板１７０が所定量移動（本例では、約６０度）されると、スライド軸２６４が長穴２６３の端まで達し右上搬送ガイド板１７０及び右下反転搬送ガイド板１８０の移動を停止する。本例では、この状態で、右上搬送ガイド板１７０は約１１０度、右下反転搬送ガイド板１８０は約６０度開いた状態となり、右側搬送路１２２、右側スイッチバック通路１３２及び転向通路１３４は大きく開放状態となり、ジャム処理を容易に行うことができるものとなる。
【００４８】
本例では、搬送路１２０とスイッチバック搬送路１３０とを左右に分け、複数の構成部材である左上搬送ガイド板１５０、左下搬送ガイド板１６０及びは右上搬送ガイド板１７０、右下反転搬送ガイド板１８０としたから、搬送路１２０及びスイッチバック搬送路１３０を単一の構成部材に比べて、同じ開閉角度だけ開いた場合に、開閉に伴う占有空間が小さくでき、したがって、単一の構成部材に比べて、少ない占有空間でジャム処理を容易に行うことできる。
【００４９】
また、本例では、左上搬送ガイド板１５０、左下搬送ガイド板１６０、右上搬送ガイド板１７０、右下反転搬送ガイド板１８０は、前記搬送路１２０又は前記スイッチバック搬送路１３０における中央部側の支軸１３５、支軸１３６、支軸１３７を中心に回転するようにしたから、支点を端部側に設け、各部材の中央部側が開閉する場合に比べて、ジャム処理を容易に行うことできる。
【００５０】
なお、前記実施例では、搬送路及びスイッチバック搬送路を左右に２分割してそれぞれの搬送路を左上搬送ガイド板１５０，左下搬送ガイド板１６０，及び右上搬送ガイド板１７０，右下反転搬送ガイド板１８０で構成下例を説明したが、搬送路及びスイッチバック搬送路を分割しないように、あるいは３分割以上にするようにしてもよい。
【００５１】
前記実施例では、搬送路の開放と連動してスイッチバック搬送路を開放するものとしているが、スイッチバック搬送路の開放と連動して搬送路を開放するようにすることができる。
【００５２】
また、前記実施例では、スイッチバック搬送路１３０を構成する左下搬送ガイド板１６０及び右下反転搬送ガイド板１８０は、搬送路１２０の構成部材である左上搬送ガイド板１５０及び右下反転搬送ガイド板１８０に対向して配置されているが、スイッチバック搬送路１３０の構成部材は、搬送路１２０の構成部材に対向せずに配置され、搬送路には面しないようにしてもよい、これは、例えば図６において、左下搬送ガイド板１６０及び右下反転搬送ガイド板１８０を固定状態とし、底部１０３がスイッチバック搬送路を構成する部材として開閉するものである。
【００５３】
さらに、前記例では、搬入口側から見て、搬送路とスイッチバック搬送路が重なる例について説明したが、搬送路とスイッチバック搬送路とが重ならないよう配置されるものであってもよい。
【００５４】
また、前記例では、搬送路は、用紙をスイッチバック搬送路に搬送する場合について説明したが、搬送路がスイッチバック搬送路から搬入される用紙を搬出口に搬送するように配置されるようにしてもよい。
【００５５】
また、前記例では、搬入口及び搬出口は用紙反転装置の上面に配置するようにしたが、搬入口及び搬出口が別々の面に配置されるようにしてもよい。また、用紙反転装置を画像形成装置本体と給紙装置の間に設ける例について説明したが、用紙反転装置の配置個所はこれに限られるものではなく、本体の側面に配置するようにしてもよい。
【図面の簡単な説明】
【００５６】
【図１】実施例に係る用紙反転装置を備えた画像形成装置を示す正面図である。
【図２】図１に示した画像形成装置から用紙反転装置を外した状態の画像形成装置を示す正面図である。
【図３】実施例に係る用紙反転装置を示す正面図である。
【図４】実施例に係る用紙反転装置を示す斜視図である。
【図５】実施例に係る用紙反転装置において、用紙反転装置の筐体から用紙反転装置本体を引き出した状態を示す斜視図である。
【図６】実施例に係る用紙反転装置の概略構造を示す断面図である。
【図７】実施例に係る用紙反転装置の入口ガイド板を開いた状態を示す斜視図である。
【図８】実施例に係る用紙反転装置の出口ガイド板を開いた状態を示す斜視図である。
【図９】実施例に係る用紙反転装置の左ガイド板が開いた状態を示す斜視図である。
【図１０】図９に示した状態の用紙反転装置を反対方向から見た斜視図である。
【図１１】実施例に係る用紙反転装置の右ガイド板が開いた状態を示す斜視図である。
【図１２】図１１に示した状態の用紙反転装置を反対方向から見た斜視図である。
【図１３】従来の画像形成装置を示す正面図である。
【図１４】従来の他の画像形成装置を示す正面図である。
【図１５】図１４に示した画像形成装置の画像形成装置本体と用紙反転装置とを分離した状態を示す斜視図である。
【符号の説明】
【００５７】
１０  画像形成装置
１１  画像形成部
１２  用紙反転装置
１３  給紙装置
１００  用紙反転装置
１０１  用紙反転装置筐体
１０２  用紙反転装置構造体部
１０３  底部
１１０  搬入口
１１５  搬出口
１２０  搬送路
１２１  左側搬送路
１２２  右側搬送路
１２３  長穴
１３０  スイッチバック搬送路
１３１  左側スイッチバック通路
１３２  右側スイッチバック通路
１３４  転向通路
１３５  支軸
１３６  支軸
１３７  支軸
１４０  入口搬送ガイド板
１５０  左上搬送ガイド板
１６０  左下搬送ガイド板
１７０  右上搬送ガイド板
１８０  右下反転搬送ガイド板
１９０  出口搬送ガイド板
２１０  左手前搬送ガイド板リンク
２１１  連結棒
２１２  軸
２１３  長穴
２１４  スライド軸
２２０  左奥搬送ガイド板リンク
２２１  連結棒
２２３  長穴
２２４  スライド軸
２５０  右手前搬送ガイド板リンク
２５１  連結棒
２５２  軸
２５３  長穴
２５４  スライド軸
２６０  右奥搬送ガイド板リンク
２６１  連結棒
２６２  軸
２６３  長穴
２６４  スライド軸
【図５】
2007204196.tif 000003
【図７】
2007204196.tif 000004
【図８】
2007204196.tif 000005
【図９】
2007204196.tif 000006
【図１１】
2007204196.tif 000007
【図１】
2007204196.tif 000008
【図２】
2007204196.tif 000009
【図３】
2007204196.tif 000010
【図４】
2007204196.tif 000011
【図６】
2007204196.tif 000012
【図１０】
2007204196.tif 000013
【図１２】
2007204196.tif 000014
【図１３】
2007204196.tif 000015
【図１４】
2007204196.tif 000016
【図１５】
2007204196.tif 000017